【事件の表示】
　特願２００２−５２５２５１「改善された耐衝撃性を有するポリメチルメタクリレート成形材料」拒絶査定不服審判事件〔平成１４年　３月１４日国際公開、ＷＯ２００２／２０６３４、平成１６年　３月１８日国内公表、特表２００４−５０８４３８〕について、次のとおり審決する。
【結　論】
　本件審判の請求は、成り立たない。
【理　由】
第１．手続の経緯　
　本願は、平成１３年７月２６日（パリ条約による優先権主張　２０００年９月４日　ドイツ連邦共和国（ＤＥ））を国際出願日とする特許出願であって、平成２３年１月２７日付けで拒絶理由が通知され、同年８月４日に意見書とともに手続補正書、誤訳訂正書が提出され、平成２４年２月１６日付けで拒絶理由が通知され、同年８月２４日に意見書とともに手続補正書が提出されたが、平成２５年３月７日付けで拒絶査定がなされ、同年７月１６日に拒絶査定不服審判が請求されたものである。  
　
　
第２．本願発明　
　本願の請求項１〜１１に係る発明は、平成２４年８月２４日に提出された手続補正書により補正された明細書（以下、「本願明細書」という。）の記載からみて、その特許請求の範囲の請求項１〜１１に記載された事項により特定されるとおりのものと認められ、その請求項１に係る発明（以下、「本願発明」という。）は以下のとおりである。  
　  
「以下のもの　
ｉ）次のモノマー成分：　
　　ａ）Ｃ１〜Ｃ８−アルキルメタクリレート５８〜９１．９質量％　
　　ｂ）Ｃ１〜Ｃ８−アルキルアクリレート７〜３５質量％　
　　ｃ）架橋剤または架橋剤混合物０．１〜２質量％および　
　　ｄ）スチレン、側鎖中でアルキル置換基で置換されたスチレン、環でアルキル置換基で置換されたスチレン、および／またはハロゲン化スチレン１〜５質量％　
　　から構成されるコア（Ｃ）、　
ｉｉ）次のモノマー成分：　
　　ａ）Ｃ１〜Ｃ８−アルキルアクリレート７５〜９９．９質量％　
　　ｂ）スチレン、側鎖中でアルキル置換基で置換されたスチレン、環でアルキル置換基で置換されたスチレン、および／またはハロゲン化スチレン０〜２５質量％および　
　　ｃ）架橋剤または架橋剤混合物０．１〜２質量％　
　　から構成される一次シェル（Ｓ１）　
ｉｉｉ）次のモノマー成分：　
　　ａ）Ｃ１〜Ｃ８−アルキルメタクリレート８０〜１００質量％および　
　　ｂ）Ｃ１〜Ｃ８−アルキルアクリレート０〜２０質量％と、　
　　　　二次シェル（Ｓ２）中のコポリマーの鎖長を調節するための分子量調節剤または分子量調節剤混合物０〜５質量％と　
　　から構成される二次シェル（Ｓ２）　
から構成される多段エマルションポリマー。 」　  
　 
　 
第３．原査定の拒絶の理由の概要　
　 
　 
　原査定の拒絶の理由は、要するに、「本願発明は、その優先日前に日本国内において頒布された下記引用文献２に記載された発明であるから、特許法第２９条第１項第３号に該当し、特許を受けることができない。　  
　 
　引用文献２：特開平１０−３３９７２３号公報」　  
　 
という理由を含むものである。　  
　 
なお、以下、引用文献２を「刊行物Ａ」という。　 
　　 
　 
第４．刊行物Ａの記載事項　  
　本願の優先日前に頒布された刊行物Ａには以下の事項が記載されている。
　なお、下線は当審で付した。　
　
Ａ１「【請求項１】　アルキル基の炭素数が１〜４のアルキルメタクリレート４０〜１００重量％、アルキル基の炭素数が１〜８のアルキルアクリレート０〜６０重量％、およびその他の共重合可能な単量体０〜２０重量％から成る単量体または単量体混合物１００重量部と、多官能単量体０．１〜１０重量部との混合物を重合して得られる最内層重合体（Ａ）、　
　最内層重合体（Ａ）の存在下に、アルキル基の炭素数が１〜８のアルキルアクリレート７０〜９０重量％、芳香族ビニル単量体１０〜３０重量％、およびその他の共重合可能な単量体０〜２０重量％から成る単量体混合物１００重量部と、多官能単量体０．１〜５重量部との混合物を重合して得られる中間層重合体（Ｂ）、並びに、　
　最内層重合体（Ａ）および中間層重合体（Ｂ）を含んで成る重合体の存在下に、アルキル基の炭素数が１〜４のアルキルメタクリレート５０〜１００重量％、アルキル基の炭素数が１〜８のアルキルアクリレート０〜５０重量％、およびその他の共重合可能な単量体０〜２０重量％から成る単量体または単量体混合物を重合して得られる最外層重合体（Ｃ）を含んで成り、下式　
完全被覆率＝［中間層の最小厚み÷中間層の最大厚み］×１００（％）　
で示す完全被覆率の平均値が３０％以上であることを特徴とする多層構造アクリル系重合体。」　  
　
Ａ２「【００１３】最内層重合体（Ａ）は、
アルキル基の炭素数が１〜４のアルキルメタクリレート
より好ましくは５０〜７０重量％
アルキル基の炭素数が１〜８のアルキルアクリレート
より好ましくは２０〜５０重量％
多官能単量体
好ましくは１〜５重量部
【００１４】ここで用いられるアルキル基の炭素数が１〜４のアルキルメタクリレートとしては、メチルメタクリレート、エチルメタクリレート、プロピルメタクリレート、ｎ−ブチルメタクリレート等が挙げられる。アルキル基の炭素数が１〜８のアルキルアクリレートとしては、メチルアクリレート、エチルアクリレート、ｉ−プロピルアクリレート、ｎ−ブチルアクリレート、２−エチルヘキシルアクリレート等が挙げられる。
その他の共重合可能な単量体としては、スチレン、α−メチルスチレン、ビニルトルエン等の芳香族ビニル単量体
特に、芳香族ビニル単量体は
より好ましくは３〜７重量％
【００１５】また、
多官能単量体は
架橋性多官能単量体
　
Ａ３「【００１６】中間層重合体（Ｂ）は、上述した最内層重合体（Ａ）の存在下に、
アルキル基の炭素数が１〜８のアルキルアクリレート
より好ましくは８０〜８５重量％
芳香族ビニル単量体
より好ましくは１５〜２０重量％
多官能単量体
より好ましくは１〜３重量部
この中間層重合体（Ｂ）に用いられる単量体や多官能単量体として、先に挙げた最内層重合体（Ａ）に用いうる単量体や多官能単量体の例と同様のものを使用できる
　
Ａ４「【００１７】最外層重合体（Ｃ）は、上述した最内層重合体（Ａ）および中間層重合体（Ｂ）を含んで成る重合体の存在下に、
アルキル基の炭素数が１〜４のアルキルメタクリレート
より好ましくは９０〜９７重量％
アルキル基の炭素数が１〜８のアルキルアクリレート
より好ましくは３〜１０重量％
　
Ａ５「【００２５】
本発明の多層構造アクリル系重合体は、例えば、公知の乳化重合法等により製造できる
【００２６】反応容器に脱イオン水、必要があれば乳化剤を加えた後、最内層重合体（Ａ）を構成するための各成分を添加し重合することにより、最内層重合体（Ａ）から成る分散粒子を含むラテックスを得る。次に、このラテックスの存在下に、中間層重合体（Ｂ）を構成するための各成分を添加して重合を行うことにより、最内層重合体（Ａ）から成る分散粒子の周りに中間層重合体（Ｂ）から成る殻を形成する。続いて、このラテックスの存在下に、最外層重合体（Ｃ）を構成するための各成分を添加して重合を行うことにより、分散粒子の周りにさらに最外層重合体（Ｃ）から成る最外殻を形成し、所望の多層構造アクリル系重合体が得られる。　
　
・・・　
　
【００３０】乳化重合法によって得られた
ポリマーラテックス
　
　
第５．刊行物Ａに記載された発明　  
　摘示Ａ２〜４のモノマー成分の好ましいとする記載及び摘示Ａ５のラテックスとして得られるとの記載並びに摘示Ａ１の記載からみて、刊行物Ａには以下の発明（以下「刊行物Ａ発明」という。）が記載されている。　  
　 
　アルキル基の炭素数が１〜４のアルキルメタクリレート５０〜７０重量％、アルキル基の炭素数が１〜８のアルキルアクリレート２０〜５０重量％、および芳香族ビニル単量体を３〜７重量％から成る単量体または単量体混合物１００重量部と、多官能単量体１〜５重量部との混合物を重合して得られる最内層重合体（Ａ）、　
　最内層重合体（Ａ）の存在下に、アルキル基の炭素数が１〜８のアルキルアクリレート８０〜８５重量％、芳香族ビニル単量体１５〜２０重量％、から成る単量体混合物１００重量部と、多官能単量体１〜３重量部との混合物を重合して得られる中間層重合体（Ｂ）、並びに、　
　最内層重合体（Ａ）および中間層重合体（Ｂ）を含んで成る重合体の存在下に、アルキル基の炭素数が１〜４のアルキルメタクリレート９０〜９７重量％、アルキル基の炭素数が１〜８のアルキルアクリレート３〜１０重量％から成る単量体または単量体混合物を重合して得られる最外層重合体（Ｃ）を含んで成り、下式　
完全被覆率＝［中間層の最小厚み÷中間層の最大厚み］×１００（％）　
で示す完全被覆率の平均値が３０％以上であることを特徴とするポリマーラテックス多層構造アクリル系重合体。　  
　
　
第６．対比・判断　  
　１．本願発明について　  
　本願発明と刊行物Ａ発明とを比較する。　  
　
　刊行物Ａ発明における「最内層重合体（Ａ）」は、本願発明における「コア（Ｃ）」に相当する。　
　そして、刊行物Ａ発明の最内層重合体（Ａ）における「アルキル基の炭素数が１〜４のアルキルメタクリレート」「アルキル基の炭素数が１〜８のアルキルアクリレート」「芳香族ビニル単量体」は、それぞれ、本願発明のｉ）における「ａ）Ｃ１〜Ｃ８−アルキルメタクリレート」「ｂ）Ｃ１〜Ｃ８−アルキルアクリレート」「ｄ）スチレン、側鎖中でアルキル置換基で置換されたスチレン、環でアルキル置換基で置換されたスチレン、および／またはハロゲン化スチレン」に相当する。また、刊行物Ａ発明の最内層重合体（Ａ）における「多官能単量体」には、「架橋性多官能単量体」も含むこと（摘示Ａ２）から、刊行物Ａ発明は、本願発明のコア（Ｃ）における「ｃ）架橋剤または架橋剤混合物」を有している。　
　さらに、刊行物Ａ発明の最内層重合体（Ａ）における、「５０〜７０重量％」、「２０〜５０重量％」、「１〜５重量部」、「３〜７重量％」は、それぞれ、本願発明のｉ）における「ａ）５８〜９１．９質量％」、「ｂ）７〜３５質量％」、「ｃ）０．１〜２質量％」、「ｄ）１〜５質量％」と重複一致している。　
　
　刊行物Ａ発明における「中間層重合体（Ｂ）」は、本願発明における「一次シェル（Ｓ１）」に相当する。　
　そして、刊行物Ａ発明の中間層重合体（Ｂ）における「アルキル基の炭素数が１〜８のアルキルアクリレート」「芳香族ビニル単量体」は、それぞれ、本願発明のｉｉ）における「ａ）Ｃ１〜Ｃ８−アルキルアクリレート」「ｂ）スチレン、側鎖中でアルキル置換基で置換されたスチレン、環でアルキル置換基で置換されたスチレン、および／またはハロゲン化スチレン」に相当する。また、刊行物Ａ発明の中間層重合体（Ｂ）における「多官能単量体」は、最内層重合体（Ａ）と同様のものであるとの記載（摘示Ａ３）があることから、刊行物Ａ発明は、本願発明の一次シェル（Ｓ１）における「ｃ）架橋剤または架橋剤混合物」を有している。　　 
　さらに、刊行物Ａ発明の中間層重合体（Ｂ）における、「８０〜８５重量％」、「１５〜２０重量％」、「１〜３重量部」は、それぞれ、本願発明のｉｉ）における「ａ）７５〜９９．９質量％」、「ｂ）０〜２５質量％」、「ｃ）０．１〜２質量％」と重複一致している。　
　
　刊行物Ａ発明における「最外層重合体（Ｃ）」は、本願発明における「二次シェル（Ｓ２）」に相当する。　
　そして、刊行物Ａ発明の最外層重合体（Ｃ）における「アルキル基の炭素数が１〜４のアルキルメタクリレート」「アルキル基の炭素数が１〜８のアルキルアクリレート」は、それぞれ、本願発明のｉｉｉ）における「ａ）Ｃ１〜Ｃ８−アルキルメタクリレート」「ｂ）Ｃ１〜Ｃ８−アルキルアクリレート」に相当する。　 
　さらに、刊行物Ａ発明の最外層重合体（Ｃ）における、「９０〜９７重量％」、「３〜１０重量％」は、それぞれ、本願発明のｉｉｉ）における「ａ）８０〜１００質量％」、「ｂ）０〜２０質量％」と重複一致している。　
　
　刊行物Ａ発明における「ポリマーラテックス多層構造アクリル系重合体」は、本願発明における「多段エマルションポリマー」に相当する。　
　
　以上のとおり、本願発明と刊行物Ａ発明との間に差異はない。　  
　  
　  
第７．請求人の主張について　  
　請求人は、審判請求書において、　
１．刊行物Ａに記載の上位概念で表現された実施例等に限定されない発明から、本願発明の対比対象とすべき発明として任意の下位概念に係る発明を認定することが可能であるかどうか　
２．本願発明が刊行物Ａに記載の技術（刊行物Ａ発明）の選択発明であるかどうか　
を争点とし、本願発明は新規性、進歩性を有する旨の主張をしている。　
　しかし、（１．について）上記第６．に記載のとおり、刊行物Ａに記載の実施例等に限定されない発明として、刊行物Ａ発明が記載されていると認定できることから、この点に関する請求人の主張を採用することはできない。　
　また、（２．について）「審査基準第II部　第２章　２．５（３）〔３〕選択発明における考え方」（〔３〕は、○の中に３）には、「（i）
選択発明とは、物の構造に基づく効果の予測が困難な技術分野に属する発明
前者の発明により新規性が否定されない発明をいう
刊行物に記載された発明とはいえないものは選択発明になりうる。
　
　
第８．まとめ　  
　以上のとおり、本願発明は、刊行物Ａに記載された発明であるから、特許法第２９条第１項第３号に該当し、特許を受けることができないとする原査定の理由は妥当なものであり、その余の請求項に係る発明について検討するまでもなく、本願は拒絶すべきものである。　　  
　よって、結論のとおり審決する。